(57)【特許請求の範囲】
【請求項１】
ドリルビットであって、
ドリルストリングと流体連通状態にある内部キャビティと、
前記ドリルビットの外部に設けられた複数個の計器パッド及びカッタと、を有し、
前記複数個の計器パッドは、前記ドリルストリングの内部からの流体を前記ドリルビットへ流出させる複数のオリフィスを備え、少なくとも１つのオリフィスは、所定のカッタの位置に対して前記ドリルビットの回転方向に向かってほぼ９０°の位置に位置決めされ、前記複数のオリフィスのうちの１つは、更に、不均衡状態の横力を生じさせるように他のオリフィスの断面積よりも大きい断面積を備えたオリフィスからなることを特徴とするドリルビット。
【請求項２】
前記流体の流量は、前記ドリルビットをボーリング孔の壁から押し離すのに十分である、請求項１記載のドリルビット。
【請求項３】
前記ドリルビットは、前記内部キャビティと流体連通状態にあるオリフィスを備えた３つの計器パッドを有する、請求項１又は２に記載のドリルビット。
【請求項４】
前記オリフィスは、前記ドリルビットの外部に沿ってぐるりと中心が約１２０°の間隔を置いて配置されている、請求項１乃至３の何れか１項に記載のドリルビット。
【請求項５】
前記複数のオリフィスへの流体の流量の合計を調整するよう構成された弁を更に有する、請求項１乃至４の何れか１項に記載のドリルビット。
【請求項６】
ボーリング孔用の坑底組立体であって、
ドリルストリングと流体連通状態にある内部キャビティを備えたドリルビットと、
前記坑底組立体の外部に設けられた複数個の計器パッド及びカッタと、を有し、
前記複数個の計器パッドは、前記ドリルストリングの内部からの流体を前記ドリルビットへ流出させる複数のオリフィスを備え、少なくとも１つのオリフィスは、所定のカッタの位置に対して前記ドリルビットの回転方向に向かって所定角度の位置に位置決めされ、前記複数のオリフィスのうちの１つは、更に、不均衡状態の横力を生じさせるように他のオリフィスの断面積よりも大きい断面積を備えたオリフィスからなり、前記ドリルビットは、流体が前記複数のオリフィスから連続して流出することにより前記坑底組立体に正味の安定化力を与えるように構成されていることを特徴とする坑底組立体。
【請求項７】
前記坑底組立体は、流体が前記複数のオリフィスの各々から連続して流出するよう構成されている、請求項６記載の坑底組立体。
【請求項８】
前記流体の流量は、前記ドリルビットをボーリング孔の壁から押し離して前記ドリルビットを前記ボーリング孔内で安定化するのに十分である、請求項６又は７に記載の坑底組立体。
【発明の詳細な説明】
【技術分野】
【０００１】
本発明は、坑井内における掘削しながらドリルビット及び／又は坑底組立体のふれまわり及び他の逸れ又は逸脱を阻止するシステム及び方法に関する。
【背景技術】
【０００２】
ドリルビットふれまわり及び逸れは、掘削業界における重要な問題である。油、ガス、水及び他の天然資源は、地下４，０００〜１０，０００フィート（１，２１９〜３，０４８ｍ）のところに位置している場合が多い。その結果、坑井の逸れが１°であっても、結果として、掘削距離、掘削時間及び掘削費が著しく増大する場合がある。
【０００３】
或る用途では、掘削業者は、垂直坑井を探し求めている。滑らかな垂直坑井は、最小の隙間で大径ケーシングの降下を容易にすると共に坑井建造作業において或る後の状態でケーシングの余分のストリングを用いる可能性を与える。ドリフトしてバーティカリティから遠ざかったりこれに戻ったりする坑井は、このオプションを台無しにする場合がある。加うるに、多数の坑井が単一プラットホームから掘削される場合、それにより、ドリルストリングの衝突が生じる場合がある。
【０００４】
たとえ制御された制御型操向性又は傾斜掘削用途であっても、例えば砕けた岩石の下、急な下り坂になっている地層中又は構造地質学的に活動性の領域中の標的までの掘削の際に所望の坑跡を維持することが非常に望ましい場合がある。
【０００５】
加うるに、ドリルビットのふれまわり、即ち、ビットの回転中心がその幾何学的中心からずれて離れる状態により、深刻な問題が生じる。かかる問題としては、非円筒形の穴、坑井の逸れ及び過剰のビット摩耗の発生が挙げられる。
【０００６】
従来型ふれまわり防止ドリルビットは、カッタと岩石の相互作用によるバランスを欠いたアンバランスな又は不均衡状態の横力を作ることによりふれまわりを減少させようとしている。この不均衡状態の力は、切断作用が滑らかであって連続しており且つカッタが摩耗しておらず又は損傷していない場合にのみ予測可能な大きさ及び方向を有する。切断作用が連続プロセスではなく不連続（断続）プロセスである場合が多いので（例えば、カッタが連続掘屑（カッティングス）ではなくチップを発生させる場合）、これら条件がどれもきまって生じるわけではない。岩石がチッピング作用によって除去される場合、大きさ及び方向は、一定でもなければ予測可能でもない。
【０００７】
したがって、ふれまわり及び逸れを阻止する装置及び方法が要望され続けている。
【発明の概要】
【０００８】
本発明は、一観点において、ドリルビットであって、ドリルストリングと流体連通状態にある内部キャビティと、ドリルビットの外部に設けられた複数個の計器パッドとを有し、計器パッドのうちの１つ又は２つ以上は、内部キャビティと流体連通状態にあるオリフィスを有し、ドリルビットは、流体がオリフィスの各々から連続して流出するよう構成されていることを特徴とするドリルビットを提供する。
【０００９】
本発明は、別の観点において、坑底組立体であって、ドリルストリングと流体連通状態にある内部キャビティと、坑底組立体の外部に設けられた複数個の計器パッドとを有し、計器パッドのうちの少なくとも１つ又は２つ以上は、坑底組立体に正味の安定化力を与えるよう内部キャビティと流体連通状態にあるオリフィスを有することを特徴とする坑底組立体を提供する。
【００１０】
本発明は、更に別の観点において、坑井現場システムであって、ドリルストリングと、ドリルストリングに結合されたケリーと、ドリルビットとを有し、ドリルビットは、ドリルストリングと流体連通状態にある内部キャビティと、ドリルビットの外部に設けられた複数個の計器パッドとを有し、計器パッドのうちの１つ又は２つ以上は、内部キャビティと流体連通状態にあるオリフィスを有し、ドリルビットは、流体が坑井現場システムに対する正味の安定化効果をもたらすようオリフィスのうちの少なくとも１つから連続して流出するよう構成されていることを特徴とする坑井現場システムを提供する。
【００１１】
本発明の性状及び所望の目的のより完全な理解を得るために、添付の図面と関連して行なわれる以下の詳細な説明を参照されたい。なお、幾つかの図を通じて同一の参照符号は、対応の部分を示している。
【図面の簡単な説明】
【００１２】
【図１】本発明を利用できる坑井現場システムを示す図である。
【図２Ａ】本発明のドリルビットを示す図である。
【図２Ｂ】ボーリング孔内における本発明のドリルビットを示す図である。
【図３Ａ】ボーリング構内に心出しされたドリルビットの断面図である。
【図３Ｂ】ボーリング孔内においてオフセンタ状態で配置されたドリルビットの断面図である。
【発明を実施するための形態】
【００１３】
本発明は、坑井内における掘削しながらドリルビット及び／又は坑底組立体のふれまわり及び他の逸れを阻止するシステム及び方法を提供する。
【００１４】
本明細書において開示される本発明は、或る範囲の掘削作業、例えば油、ガス及び水の掘削に用いられるようになっている。したがって、ビット本体は、油、ガス及び水業界において通常用いられている坑井現場システムに組み込まれるよう設計されている。例示の坑井現場システムが図１に示されている。
【００１５】
図１は、本発明を利用することができる坑井現場システムを示している。坑井現場は、オンショワーであっても良くオフショワーであっても良い。この例示のシステムでは、ボーリング孔１１が周知の仕方の回転掘削によって地下地層中に形成されている。本発明の実施形態は、以下に説明するように傾斜掘削も又利用できる。
【００１６】
ドリルストリング１２は、ボーリング孔１１内に吊り下げられており、このドリルストリングは、坑底組立体１００を有し、この坑底組立体は、その下端部にドリルビット１０５を有する。坑外システムは、ボアホール１１を覆って位置決めされたプラットホーム・デリック組立体１０を有し、この組立体１０は、回転テーブル１６、ケリー１７、フック１８及び回転スイベル１９を含む。ドリルストリング１２は、回転テーブル１６により回転し、図示していない手段により付勢され、かかる手段は、ドリルストリングの上端部のところに位置するケリー１７に係合する。ドリルストリング１２は、ケリー１７及び回転スイベル１９を介してトラベリングブロック（これ又図示せず）に取り付けられたフック１８から吊り下げられており、回転スイベル１９は、フックに対するドリルストリングの回転を可能にする。周知のように、変形例として、頂部駆動システムを用いても良い。
【００１７】
この実施形態の実施例では、坑外システムは、坑井現場のところに構成されたピット２７内に貯留されている掘削流体又は泥水２６を更に有する。ポンプ２９が掘削流体２６をスイベル１９に設けられているポートを経てドリルストリング１２の内部に送り出し、それにより、掘削流体は、方向を示す矢印８で示されているようにドリルストリング１２を通って下方に流れる。掘削流体は、ドリルビット１０５に設けられたポートを経てドリルストリング１２から流出し、次に、方向を示す矢印９によって示されているようにドリルストリングの外部とボーリング孔の壁との間の環状領域を通って上方に循環する。この周知で仕方では、掘削流体は、ドリルビット１０５を潤滑し、これが再循環のためにピット２７に戻されているときに地層掘屑を地表まで運ぶ。
【００１８】
図示の実施形態の坑底組立体１００は、掘削しながらロッギング（物理検層）する（ＬＷＤ）モジュール１２０、掘削しながら測定する（ＭＷＤ）モジュール１３０、モータ付き回転操向性システム及びドリルビット１０５を含む。
【００１９】
ＬＷＤモジュール１２０は、当該技術分野で知られているように特定形式のドリルカラー内に収容され、このＬＷＤモジュールは、１つ又は複数個の公知形式のロッギングツールを有するのが良い。また、例えば１２０Ａのところに示されているように２つ以上のＬＷＤ及び／又はＭＷＤモジュールを使用しても良いことは理解されよう。（変形例として、１２０の位置のところのモジュールと全体として言った場合、このことは、１２０Ａの位置のところのモジュールも意味する場合がある）。ＬＷＤモジュールは、情報を測定し、処理し又は記憶すると共に坑外機器と通信する機能を含む。この実施形態では、ＬＷＤモジュールは、圧力測定装置を含む。
【００２０】
ＭＷＤモジュール１３０も又、当該技術分野において知られているように特定形式のドリルカラー内に収容され、このＭＷＤモジュールは、ドリルストリング及びドリルビットの特性を計測する１つ又は２つ以上の装置を有するのが良い。ＭＷＤツールは、ダウンホールシステムに対する電力を発生させる装置（図示せず）を更に含む。これは、代表的には、掘削流体の流れによって動力供給される泥水タービン発電機であるのが良いが、理解されるべきこととして、他の電力及び／又はバッテリシステムを用いても良い。この実施形態では、ＭＷＤモジュールは、以下の形式の測定装置、即ち、ビットに加わる重量測定装置、トルク測定装置、振動測定装置、衝撃測定装置、スティックスリップ測定装置、方向測定装置及び勾配測定装置のうちの１つ又は２つ以上を含む。
【００２１】
坑井現場システムの特定の有利な使用は、制御型操向性又は「傾斜掘削」と関連している。この実施形態では、回転操向性サブシステム１５０（図１）が提供されている。傾斜掘削は、坑井が元々取る経路からの坑井の意図した逸脱である。換言すると、傾斜掘りは、ドリルストリングが所望の方向を移動するようにするドリルストリングの操行である。
【００２２】
傾斜掘削は、例えば、オフショワー掘削において有利である。というのは、かかる傾斜掘削により、多くの坑井を単一プラットホームから掘削できるからである。傾斜掘削は又、貯留層を通る水平掘削を可能にする。水平掘削により長さの長い坑井が貯留層を横行することができ、それにより坑井からの産出量が増大する。
【００２３】
傾斜掘削システムは、垂直掘削作業にも利用できる。ドリルビットは、穿孔中の地層の予期しない性状又はドリルビットの受ける力の変化に起因して計画された掘削坑跡から方向を変える場合が多い。かかる逸脱が生じると、傾斜掘削システムを用いてドリルビットを正しいコースに戻すことができる。
【００２４】
公知の傾斜掘削方法は、回転操向性システム（“ＲＳＳ”）の使用を含む。ＲＳＳでは、ドリルストリングリングを地表から回転させ、ダウンホール装置によりドリルビットが所望の方向に掘削を行なうようにする。ドリルストリングを回転させることにより、ドリルストリングは掘削中にハングアップ状態になり又は固着状態になる恐れが大幅に減少する。地中に逸れ状態のボーリング孔を穿孔する回転操向性掘削システムは、一般に、「ポイント・ザ・ビット（point-the-bit）」システムか「プッシュ・ザ・ビット（push-the-bit）」システムかのいずれかとして分類される場合がある。
【００２５】
ポイント・ザ・ビットシステムでは、ドリルビットの回転軸線を新たな孔の全体方向に坑底組立体の局所軸線から逸らす。孔を上側及び下側スタビライザ接触点及びドリルビットにより定められる慣例の３点幾何学的形状に従って伸長させる。ドリルビット軸線の逸脱角度とドリルビットの下側スタビライザとの間の有限距離の組み合わせの結果として、曲線を生成させるのに必要な非共線条件が得られる。これを達成できる多くのやり方が存在し、かかるやり方としては、下側スタビライザの近くに位置する坑底組立体中の１点のところの固定曲げ又は上側スタビライザと下側スタビライザとの間に分布されたドリルビット駆動シャフトの曲げの利用が挙げられる。ドリルビットは、その理想化された形態では、側方に切断することが必要とされない。というのは、ビット軸線を湾曲した孔の方向に連続して回転させるからである。ポイント・ザ・ビット型回転操向性システムの例及びこれらの動作原理は、米国特許出願公開第２００２／００１１３５９号明細書、同第２００１／００５２４２８号明細書並びに米国特許第６，３９４，１９３号明細書、同第６，３６４，０３４号明細書、同第６，２４４，３６１号明細書、同第６，１５８，５２９号明細書、同第６，０９２，６１０号明細書及び同第５，１１３，９５３号明細書に記載されており、これら特許文献を全て参照により引用し、これらの記載内容全体を本明細書の一部とする。
【００２６】
プッシュ・ザ・ビット型回転操向性システムでは、通常、ビット軸線を坑底組立体の局所軸線から逸らす上で特に該当する機構体は存在せず、その代わり、上側スタビライザ又は下側スタビライザのうちのいずれか一方又は両方が孔の進行方向に関して優先的に差し向けられる方向に偏心力又は変位を加えるようにすることにより必要条件としての非共線条件が達成される。この場合も又、これを達成できる多くのやり方が存在し、かかるやり方としては、非回転（孔に対して）偏心スタビライザ（変位を利用した方式）及び力を所望の操向方向にドリルビットに加える偏心アクチュエータの利用が挙げられる。この場合も又、操向は、ドリルビットと少なくとも２つの他の接触点との間に非共振関係を作ることによって達成される。ドリルビットは、その理想化された形態では、湾曲した孔を形成するために側方に切断を行なう必要がある。プッシュ・ザ・ビット型回転操向性システムの例及びこれらの動作原理は、米国特許第５，２６５，６８２号明細書、同第５，５５３，６７８号明細書、同第５，８０３，１８５号明細書、同第６，０８９，３３２号明細書、同第５，６９５，０１５号明細書、同第５，６８５，３７９号明細書、同第５，７０６，９０５号明細書、同第５，５５３，６７９号明細書、同第５，６７３，７６３号明細書、同第５，５２０，２５５号明細書、同第５，６０３，３８５号明細書、同第５，５８２，２５９号明細書、同第５，７７８，９９２号明細書及び同第５，９７１，０８５号明細書に記載されており、これら特許文献を全て参照し引用し、これらの記載内容全体を本明細書の一部とする。
【００２７】
本明細書において説明する本発明の特定の実施形態は、ふれまわり及び／又は逸脱を減少させるドリルビット１０５及び坑底組立体１００を提供している。
【００２８】
ふれまわり防止ビット
【００２９】
図２は、ドリルビット１０５を示している。ドリルビット１０５は、後続端部２０２及び切断部分２０４を有している。後続端部２０２は、ドリルストリング１２との直接的又は間接的接続が可能であるようになっている。切断部分２０４は、１つ又は２つ以上のリブ２０６Ａ，２０６Ｂ，２０６Ｃ，２０６Ｄを有する。リブ２０６は、計器区分２０８を有し、これら計器区分は、カッタ２１０により穿孔されたボーリング孔の壁に接触する。カッタ２１０がリブ２０６Ｂ上にのみ示されているが、カッタ２１０は、特定の掘削状況にとって有利であるように複数のリブ２０６又はリブ２０６の全てに形成されるのが良い。
【００３０】
本発明の実施形態では、１つ又は２つ以上のオリフィス２１２がドリルビット１０５の外部に設けられている。オリフィス２１２は、計器区分２０８に又はリブ２０６相互間の谷部２１４に設けられるのが良い。オリフィス２１２により、ドリルストリング１２の内部からの流体２６がドリルビットから流出して安定性の実現を達成すると共にふれまわりを減少させることができる。追加のオリフィスがドリルビット１０５、例えば、当該技術分野において知られているように潤滑及び掘屑の除去のために先導端部２１６に設けられるのが良い。
【００３１】
幾つかの実施形態によっては、ドリルビット１０５は、単一のオリフィス２１２を有する。掘削流体２６は、オリフィス２１２から流出し、そしてボーリング孔１１の壁に接触し、それにより、オリフィス２１２及び計器区分２０８の向きに実質的に垂直な横力を生じさせる。この力により、ふれまわり防止効果が得られる。
【００３２】
実施形態によっては、オリフィス２１２は、カッタ２１０のうちの大部分から見て実質的に反対側に位置決めされる。例えば、カッタ２１０がドリルビット１０５に沿って長手方向に配置される場合、オリフィス２１２は、カッタ２１０から見て約１８０°のところに配置されるのが良い。かかる実施形態では、オリフィス２１２から放出された掘削流体は、ドリルビットをカッタ２１０の方向に押す横力を生じさせる。この実施形態は、（１）カッタ２１０とボーリング孔１１の壁との間の接触を増大させると共に／或いは（２）カッタ２１０とボーリング孔壁との接触に起因して生じる横力を帳消しにする。
【００３３】
他の実施形態では、オリフィス２１２は、カッタ２１０の大部分の後ろに約９０°のところに位置決めされる。この原理の例証として、図２Ａに示されている状況を考察する。ドリルビット１０５は、ボーリング孔１１内で反時計回りの方向に回転している。カッタ２１０は、正にボーリング孔壁２２０からの突起２１８に当たろうとしている。突起２１８が特に強固な材料である場合、突起は、最初にカッタ２１０との接触時には少なくとも瞬間的には無傷状態のままであろう。ドリルビット１０５に加わる回転力により、ドリルビット１０５は、計器パッド２０６Ａがボーリング孔壁２２０に接触するまで負のｙ方向に動く。しかしながら、オリフィス２１２が計器パッド２０６Ａに設けられている場合、掘削流体２６は、正のｙ方向の力を生じさせ、それにより、ドリルビット１０５がオフセンタ状態に動く傾向を打ち消す。さらに、正のｙ方向の力は、ビット１０５全体を動かしそれにより追加の力をカッタ２１０に及ぼしてボーリング孔の伸長を助ける。
【００３４】
他のカッタ２１０及びオリフィス２１２についての他の形態は、本発明の範囲に含まれる。例えば、ドリルビット１０５の回転及び複数個のカッタ２１０との接触により生じる力の合成ベクトルは、既知の方程式及び技術を用いて計算できる。オリフィス２１２は、最も生じそうな力のベクトルを相殺するよう構成されているのが良い。
【００３５】
オリフィス２１２からの掘削流体２６の水力を利用することによって、ドリルビット１０５は、ビットのふれまわりを減少させると共に／或いは阻止する予測可能で且つ一定の不均衡状態の力を生じさせる。不均衡状態の力の方向は、ポートの位置が与えられている場合には既知である。不均衡状態の力の大きさは、オリフィス２１２とボーリング孔壁２２０との間の距離、ボーリング孔内の掘削流体２６とドリルストリング１２内の掘削流体２６の差圧及びオリフィス２１２の幾何学的形状（例えば、寸法形状）の関数である。さらに、カッタ２１０に対する摩耗及び損傷は、横力の大きさ及び方向に影響を及ぼさないはずである。
【００３６】
実施形態によっては、オリフィス２１２の外部は、掘削流体２６がオリフィス２１２から出る際に大きな水圧を生じさせるために隆起環状体又は他の幾何学的特徴部によって包囲される。かかる特徴部及び／又は計器区分２０６全体は、耐摩耗性又は表面硬化材料、例えば多結晶ダイヤモンド（ＰＣＤ）で被覆されるのが良く又は全体がこれから作られるのが良い。
【００３７】
自己安定化ビット及び坑底組立体
【００３８】
本発明の別の実施形態は、１つ又は２つ以上のオリフィス２１２を利用してボーリング孔内でドリルビット１０５及び／又は坑底組立体（ＢＨＡ）を安定化する。
【００３９】
図３Ａは、ドリルビット１０５の断面図であり、３つの計器パッド２０６Ａ，２０６Ｂ，２６０Ｃが全体としてドリルビット１０５の周囲に沿って互いに間隔（例えば、中心で１２０°）を置いて配置されており、各計器パッドは、それぞれ、２１２Ａ，２１２Ｂ，２１２Ｃを有している。掘削状態２６（太線で表されている）がドリルビット１０５の内部からオリフィス２１２Ａ，２１２Ｂ，２１２Ｃを通って流出する。
【００４０】
図３Ａに示されているドリルビット１０５は、全体として、ボーリング孔１１内に心出しされている。したがって、掘削流体により生じる水力は、互いに打ち消し合う。しかしながら、ドリルビット１５が図３Ｂに示されているようにオフセンタ状態に動いた場合、オリフィス２１２Ａからの掘削状態２６によって生じる力のベクトルの大きさは、オリフィス２１２Ａとボーリング孔壁２２０との間の離隔距離が減少するにつれて増大することになる。それと同時に、オリフィス２１２Ｂ，２１２Ｃにより生じる力のベクトルが減少し、その結果、ドリルビット壁２２０から押し離す正味の力のベクトル（矢印２２２によって表されている）が生じる。
【００４１】
実施形態によっては、１つ又は２つ以上のオリフィスへの流体の流量は、１つ又は２つ以上の弁（例えば、チョーク弁）によって制限される。管類又は他の手段によって単一の弁を各オリフィスに連結しても良い。より好ましくは、各オリフィスは、別々の弁によって別個独立に調節される。別個独立の調整により、掘削流体２６が特定のオリフィス２１２に流れる量は、他のオリフィス２１２又は他のポート（例えば、ドリルビット１０５の前縁又は先導縁部２１６に設けられているポート）から奪うよう所望のしきい値を超えて増大することがない。
【００４２】
図３Ａ及び図３Ｂの実施形態は、３つのオリフィス２１２を備えたドリルビット１０５を示しているが、本明細書において説明する本発明の範囲は、ドリルビット１０５又は坑底組立体の安定化のための任意の数のオリフィス２１２による流体の使用を含む。例えば、単一のオリフィスを備えたドリルビット１０５は、３つのオリフィスを備えたドリルビット１０５とほぼ同じ作用効果を生じさせる。ドリルビット１０５を回転させると、単一のオリフィスによって生じた力は、ドリルビット１０５がボーリング孔壁２２０の近くに位置した領域をオリフィスが通過したときに大きさが増大する。力のこの増大により、ドリルビット１０５は、中心に押し戻される。さらに、２つ、３つ、４つ、５つ又は６つのオリフィス等を備えたドリルビット及び坑底組立体は、本発明の範囲に含まれる。
【００４３】
本明細書において説明している原理は、坑底組立体１００の外部及びドリルストリング１２の他の部分に沿って設けられた安定化パッドに適用可能である。安定化パッドは、坑底組立体及びドリルストリングの運動を最小限に抑えるよう計器パッドに同様に作用する。かかる実施形態では、掘削流体２６が本明細書で説明したように作用することができるよう１つ又は２つ以上のオリフィスが１つ又は２つ以上の安定化パッドに追加される。
【００４４】
ふれまわり防止ビットと自己安定化ビットの組み合わせ
【００４５】
本明細書において説明したふれまわり防止ビットの原理と自己安定化ビットの原理を組み合わせると、ふれまわりを減少させる正味の不均衡状態の横力を生じさせる一方で、依然として、ボーリング孔１１の中心からのドリフトを補正する１つ又は２つ以上のオリフィスを備えたビット１０５を製作することができる。かかる実施形態では、複数個のオリフィス２１２のうちの１つは、不均衡状態の横力を生じさせるために断面積が他のオリフィスよりも大きい。
【００４６】
上述の本明細書における説明と本明細書の一部をなす図面は、性質上例示であり、本発明の或る特定の好ましい実施形態を示している。しかしながら、この説明は、本発明を限定するものと解されてはならないことは認識されると共に理解されるべきである。というのは、当業者であれば、本発明の本質的な範囲、精神又は意図から逸脱することなく、実施形態の多くの変更、改造及び変形を想到できるからである。
【図１】
0005832897.tif 000002
【図２Ａ】
0005832897.tif 000003
【図２Ｂ】
0005832897.tif 000004
【図３Ａ】
0005832897.tif 000005
【図３Ｂ】
0005832897.tif 000006